(57)【要約】【課題】  小型化を図ることができる照明器具、及びそれを用いた車両を提供する。【解決手段】  照明器具は、ＨＩＤランプ２及び反射板３が収納される器具本体１と、ＨＩＤランプ２の口金部２３が装着されるソケット部４ｂを一体に備えてＨＩＤランプ２を点灯させるバラストが収納され、ソケット部４ｂを器具本体１に形成された開口部１ｃから器具本体１内に臨ませるように配置されるバラスト本体４と、器具本体１の開口部１ｃ周縁とバラスト本体４との隙間を密閉する密閉手段としてシール用パッキン７とを備える。【選択図】図１
2006210008.tif 000002
【特許請求の範囲】
【請求項１】
片持型の放電灯が収納される器具本体と、前記放電灯の口金が装着されるソケット部を一体に備えて前記放電灯を点灯させるバラストが収納され、少なくともソケット部を器具本体に形成された開口部から器具本体内に臨ませるように配置されるバラスト本体と、器具本体の開口部周縁とバラスト本体との隙間を密閉する密閉手段とを具備していることを特徴とする照明器具。
【請求項２】
バラスト本体はバラストに外部電源の電力供給線を接続する電源入力部を備え、該電源入力部は器具本体内に配置されていることを特徴とする請求項１に記載の照明器具。
【請求項３】
一端側に前記放電灯を内部に臨ませる開口を有し、前記放電灯からの光を内面で反射して他端側の出射口から外方へ出射する反射板を器具本体内に備え、反射板の開口周縁と前記放電灯との隙間を覆って前記放電灯からの光を反射板側へ反射する補助反射板を反射板の外側に備えていることを特徴とする請求項１又は請求項２に記載の照明器具。
【請求項４】
一端側に前記放電灯を内部に臨ませる開口を有し、前記放電灯からの光を内面で反射して他端側の出射口から外方へ出射する反射板を器具本体内に回動自在に備え、前記放電灯は反射板の開口より内部に臨んだ状態で反射板に固定され、バラスト本体は前記放電灯の口金にソケット部が装着されることで反射板に保持され、密閉手段は、反射板の開口の周辺部から一端側へ一体に突設され少なくともバラスト本体のソケット部を囲繞し反射板とともに回動する筒部と、筒部の内側面とバラスト本体との隙間を密閉する第１の密閉体と、筒部の外側面と器具本体の開口部周縁との隙間を密閉するとともに筒部の回動に応じて伸縮する第２の密閉体とで構成されていることを特徴とする請求項１又は請求項２に記載の照明器具。
【請求項５】
一端側に前記放電灯を内部に臨ませる開口を有し、前記放電灯からの光を内面で反射して他端側の出射面から外方へ出射する反射板を器具本体内に回動自在に備え、前記放電灯は反射板の開口より内部に臨んだ状態で反射板に固定され、バラスト本体は前記放電灯の口金にソケット部が装着されることで反射板に保持されて反射板とともに回動し、密閉手段は、バラスト本体の回動に応じて伸縮する部材であることを特徴とする請求項１又は請求項２に記載の照明器具。
【請求項６】
請求項１乃至５のいずれか１項に記載の照明器具と、該照明器具により点灯される放電灯とを備えていることを特徴とする車両。
【発明の詳細な説明】
【技術分野】
【０００１】
本発明は、例えば、水銀ランプ、メタルハライドランプ等の高輝度放電灯を点灯させる照明器具、及びそれを用いた車両に関するものである。
【背景技術】
【０００２】
従来から提供されている高輝度放電灯（以下、ＨＩＤランプという）を点灯させる照明器具は、ＨＩＤランプの口金が装着されるソケットと、ＨＩＤランプを瞬時に始動・再始動させるイグナイタと、ＨＩＤランプを安定に点灯させるインバータとを備えており、例えば、イグナイタとインバータとを一つのケース内に収納したもの（特許文献１）や、ソケットにイグナイタを内蔵したもの（特許文献２）が提供されている。
【０００３】
また、図８に示すような照明器具が提供されており、この照明器具１００は、器具本体（灯体）１０１と、片持型のＨＩＤランプ１０２と、反射板１０３と、ＨＩＤランプ１０２の口金部１０２ａが装着されるソケット部（図示せず）を一体に備えて、イグナイタ及びインバータから構成されたバラスト（図示せず）が収納されるバラスト本体１０４とで構成されている。
【０００４】
器具本体１０１は、前面が開口した箱状に形成され、開口した前面を覆うようにレンズ１０５が接着剤等を用いて装着されている。また、器具本体１０１の後壁部には、ＨＩＤランプ１０２及びバラスト本体１０４を器具本体１０１内に挿入するための開口部１０１ａが形成され、この開口部１０１ａを閉塞するキャップ状のメンテナンス用カバー１０６が着脱自在に取り付けられる。加えて、器具本体１０１の下壁には、車載のバッテリ等の外部電源１０８に一端が接続されたハーネス（電力供給線）１０９を器具本体１０１内に導入するための導入孔１０１ｂが形成されている。ここで、器具本体１０１とレンズ１０５との装着部分の隙間は接着剤等、器具本体１０１の開口部１０１ａ周縁とメンテナンス用カバー１０６との隙間は例えばＯリング等の環状のシール用パッキン１０７、器具本体１０１の導入孔１０１ｂの内側面とハーネス１０９との隙間は円筒状のシリコンゴム等のシール部材１１０によりそれぞれ密閉されており、これによって器具本体１０１内の防水性を確保している。
【０００５】
反射板１０３は、後壁側にＨＩＤランプ１０２を内部に臨ませる開口１０３ａを有するとともに、前壁側にＨＩＤランプ１０２からの光を出射する出射口１０３ｂを有して、後方から前方にいくにつれて拡径となる椀状に形成され、内側面にＨＩＤランプ１０２からの光を反射して出射口１０３ｂから外方へ出射させる反射面１０３ｃを備えている。
【０００６】
バラスト本体１０４は、例えば、合成樹脂成形品であり、略直方体状の筐体１０４ａと、筐体１０４ａの前壁部に形成されＨＩＤランプ１０２の口金部１０２ａが装着されるソケット部と、筐体１０４ａの下壁部に形成されハーネス１０９の他端側が装着される電源入力部１０４ｂとを一体に備えている。このバラスト本体１０４には、上記のバラストが収納され、ソケット部及び電源入力部１０４ｂを介してＨＩＤランプ１０２及びハーネス１０９とそれぞれ電気的に接続される。
【０００７】
上記部材から照明器具１００は構成されており、各部材は次のようにして取り付けられている。反射板１０３は、出射口１０３ｂを器具本体１０１の前面開口に臨ませるようにして収納され、このようにして反射板３が収納された器具本体１０１には、レンズ１０５が器具本体１０１の前面開口を覆うようにして装着される。そして、器具本体１０１には、ＨＩＤランプ１０２がソケット部に装着されたバラスト本体１０４が開口部１０１ａから器具本体１０１内へ挿入されて、ＨＩＤランプ１０２を反射板１０３の開口１０３ａから反射板１０３内に臨ませるとともに、導入孔１０１ｂから器具本体１０１内に導入されたハーネス１０９を電源入力部１０４ｂに装着した状態で収納される。この後に、器具本体１０１には、メンテナンス用カバー１０６がシール用パッキン１０７とともに取り付けられる。
【０００８】
一方、図９に示すような照明器具１１１が提供されており、この照明器具１１１では、図８に示す照明器具１００において、ソケット部をバラスト本体１０４に一体に備える代わりに、ソケット部を省略してＨＩＤバルブ１０２自体をバラスト本体１０４に一体に備えたものである。尚、その他の構成は図８に示す照明器具１００と同様であるから、同じ符号を付して説明を省略する。
【特許文献１】特開２００１−３３８５０６号公報（第２図）
【特許文献２】特開２００２−３６７４１４号公報（第１図）
【発明の開示】
【発明が解決しようとする課題】
【０００９】
上記のような照明器具は、従来から大型車両等の比較的大きい前照灯（ヘッドランプ）や補助灯（フォグランプ、ドライビングランプ等）等に利用されていたが、近年、小型車両や軽自動車等の比較的小さい前照灯や補助灯等にも利用することが望まれており、そのため照明器具の小型化、低コスト化が要求されている（特に、エンジンルームの小型化に伴なって、照明器具の奥行き（前後方向の幅寸法）の削減が要求されている）。
【００１０】
これに対して、上記の特許文献１ではイグナイタとインバータとを一つのケース内に収納することで、特許文献２ではソケットにイグナイタを内蔵することで、図８に示す照明器具１００ではバラスト本体１０４にソケット部を一体に備えることで、それぞれ全体として小型化が図られているが、これらではまだ小型化が不十分であり、図９に示すようにソケット部を省略してＨＩＤバルブ１０２自体をバラスト本体１０４に一体化した照明器具１１１であっても、十分な小型化を図ることができていなかった。
【００１１】
本発明は上述の点に鑑みて為されたもので、その目的は、小型化を図ることができる照明器具、及びそれを用いた車両を提供することである。
【課題を解決するための手段】
【００１２】
上記の課題を解決するために、請求項１の照明器具では、片持型の放電灯が収納される器具本体と、前記放電灯の口金が装着されるソケット部を一体に備えて前記放電灯を点灯させるバラストが収納され、少なくともソケット部を器具本体に形成された開口部から器具本体内に臨ませるように配置されるバラスト本体と、器具本体の開口部周縁とバラスト本体との隙間を密閉する密閉手段とを具備していることを特徴とする。
【００１３】
請求項１の発明によれば、ソケット部を一体に備えたバラスト本体を器具本体の外方に配置して、密閉手段により器具本体の開口部周縁とバラスト本体との隙間を密閉しているので、器具本体の大きさを少なくとも片持型の放電灯を収納できる程度の大きさにまで縮小することができ、これにより照明器具の小型化を図ることができるようになる。
【００１４】
請求項２の照明器具では、請求項１の構成に加えて、バラスト本体はバラストに外部電源の電力供給線を接続する電源入力部を備え、該電源入力部は器具本体内に配置されていることを特徴とする。
【００１５】
請求項２の発明によれば、電源入力部を防水処理された器具本体内に配置しているので、電源入力部と外部電源の電力供給線との接続部位の防水性を考慮する必要がなくなり、これにより、バラスト本体の防水設計が容易になり、しかも、外部電源の電力供給線として安価な非防水型のものを使用することができるため、製造コストの削減を図ることができる。
【００１６】
請求項３の照明器具では、請求項１又は請求項２の構成に加えて、一端側に前記放電灯を内部に臨ませる開口を有し、前記放電灯からの光を内面で反射して他端側の出射口から外方へ出射する反射板を器具本体内に備え、反射板の開口周縁と前記放電灯との隙間を覆って前記放電灯からの光を反射板側へ反射する補助反射板を反射板の外側に備えていることを特徴とする。
【００１７】
請求項３の発明によれば、放電灯を内部に臨ませる反射板の開口から漏れていた光を補助反射板により反射板側へ反射しているので、反射板のみを設ける場合に比べて、放電灯からの光の利用効率を向上することができる。
【００１８】
請求項４の照明器具では、請求項１又は請求項２の構成に加えて、一端側に前記放電灯を内部に臨ませる開口を有し、前記放電灯からの光を内面で反射して他端側の出射口から外方へ出射する反射板を器具本体内に回動自在に備え、前記放電灯は反射板の開口より内部に臨んだ状態で反射板に固定され、バラスト本体は前記放電灯の口金にソケット部が装着されることで反射板に保持され、密閉手段は、反射板の開口の周辺部から一端側へ一体に突設され少なくともバラスト本体のソケット部を囲繞し反射板とともに回動する筒部と、筒部の内側面とバラスト本体との隙間を密閉する第１の密閉体と、筒部の外側面と器具本体の開口部周縁との隙間を密閉するとともに筒部の回動に応じて伸縮する第２の密閉体とで構成されていることを特徴とする。
【００１９】
請求項４の発明によれば、反射板に放電灯を固定しているので、放電灯からの光を反射板の開口からほとんど漏らすことなく反射板の内面で反射して出射口から外方へ出射させることができ、これにより、放電灯の光の利用効率を向上することができる。また、放電灯と反射板との位置関係が変化しないため、放電灯からの光の配光設計も容易に行うことができる。
【００２０】
請求項５の照明器具では、請求項１又は請求項２の構成に加えて、一端側に前記放電灯を内部に臨ませる開口を有し、前記放電灯からの光を内面で反射して他端側の出射面から外方へ出射する反射板を器具本体内に回動自在に備え、前記放電灯は反射板の開口より内部に臨んだ状態で反射板に固定され、バラスト本体は前記放電灯の口金にソケット部が装着されることで反射板に保持されて反射板とともに回動し、密閉手段は、バラスト本体の回動に応じて伸縮する部材であることを特徴とする。
【００２１】
請求項５の発明によれば、反射板に放電灯を固定しているので、放電灯からの光を漏らすことなく反射板の内面で反射して出射口から外方へ出射させることができ、これにより、放電灯の光の利用効率を向上することができる。また、放電灯と反射板との位置関係が変化しないため、放電灯からの光の配光設計も容易に行うことができる。しかも、上記請求項４に比べて構成部材が少なくて済むので、製造コストを低減することが可能になる。
【００２２】
請求項６の車両では、請求項１乃至５のいずれか１項に記載の照明器具と、該照明器具により点灯される放電灯とを備えていることを特徴とする。
【００２３】
請求項６の発明によれば、小型化を図ることができる照明器具を備えているので、照明器具の設置に必要なスペースを縮小することができ、これにより、例えば、車両全体の小型化や、居室空間の拡大による快適性の向上を図ることができる。
【発明の効果】
【００２４】
本発明は、器具本体の大きさを少なくとも片持型の放電灯を収納できる程度の大きさにまで縮小することができ、これにより照明器具の小型化を図ることができるという効果がある。
【発明を実施するための最良の形態】
【００２５】
（実施形態１）
本実施形態の照明器具は、例えば、図３に示すように車両Ｃの前照灯Ｌ等に利用されるものであり、まず、照明器具に光源として用いられるＨＩＤランプ２について図２を参照して説明する。
【００２６】
ＨＩＤランプ２は、例えば水銀ランプやメタルハライドランプであり、図２に示すように、発光管２０と、発光管２０内に互いに離間して配置される一対の電極２１，２２と、発光管２０の後端側が固着される口金部２３とから構成された、いわゆる片持型の放電灯である。
【００２７】
発光管２０は、例えば石英ガラス製のものであり、中央部に水銀、ハロゲンガス、不活性ガス等が封入される略球状の放電用空間２０ａが形成されるとともに、両端部に電極封止用空間２０ｂ，２０ｃが形成され、各空間２０ａ，２０ｂ，２０ｃはそれぞれ気密に封止されている。
【００２８】
電極２１は、例えばそれぞれタングステンを用いて長尺棒状に形成された放電用端子２１ａ及び接続用端子２１ｂと、放電用端子２１ａの前端部と接続用端子２１ｂの後端部とを電気的に接続するとともに熱緩衝材となるモリブデン箔等の金属箔２１ｃとから構成され、放電用端子２１ａの後端部を発光管２０の放電用空間２０ａ内に突出させるとともに、接続用端子２１ｂの前端部を発光管２０から外方へ突出させて発光管２０の電極封止用空間２０ｂ内に配置されている。
【００２９】
電極２２は、上記電極２１と同様に、放電用端子２２ａ及び接続用端子２２ｂと、放電用端子２２ａの後端部と接続用端子２２ｂの前端部とを電気的に接続する金属箔２２ｃとから構成され、放電用端子２２ａの前端部を発光管２０の放電用空間２０ａ内に突出させるとともに、接続用端子２２ｂの後端部を発光管２０から外方へ突出させて発光管２０の電極封止用空間２０ｃ内に配置されている。
【００３０】
そして、両電極２１，２２は、放電用空間２０ａ内において、放電用端子２１ａ，２２ａが互いに所定の間隔を有して離間するように配置されている。
【００３１】
口金部２３は、発光管２０が前端側に固着されるとともに、発光管２０から突出された電極２２の接続用端子２２ｂの後端部と電気的に接続された棒状の内側電極２４が後端側に突出するように貫挿された略円柱状の台部２３ａと、台部２３ａの後端側に内側電極２４を囲繞するように突設され、外側面に外側電極２５が周設される円筒状の筒部２３ｂと、台部２３ａの側周面の前端側に周設されるフランジ部２３ｃ及び後端部に突設される一対のソケット固定用ピン２３ｄ，２３ｄとを一体に備えて、合成樹脂等から形成されている。また、筒部２３ｂの外側電極２５は発光管２０から突出された電極２１の接続用端子２１ｂの前端部とリード線２６等により電気的に接続され、リード線２６は保護管２７により保護されている。
【００３２】
上記のようにＨＩＤランプ２は構成されており、このようなＨＩＤランプ２は、例えば、一対の電極２１，２２間に所定の電圧（ブレークダウン電圧）が印加されると、放電用空間２０ａ内において絶縁破壊が生じて放電が開始され、封入されている水銀が気化し、高圧の水銀ガスのプラズマ放電によって光を放出するものである。
【００３３】
次に本実施形態の照明器具について図１を用いて説明する。尚、特にことわりがない限りは、図１の左方を照明器具の前方、図１の右方を照明器具の後方、図１の上方を照明器具の上方、図１の下方を照明器具の下方、図１の紙面奥方向を照明器具の左方、図１の紙面手前方向を照明器具の右方という。
【００３４】
照明器具は、図１に示すように、ＨＩＤランプ２及び反射板３が収納される器具本体１と、ＨＩＤランプ２の口金部２３が装着されるソケット部４ｂを一体に備えてＨＩＤランプ２を点灯させるバラスト（図示せず）が収納され、ソケット部４ｂを器具本体１に形成された開口部１ｃから器具本体１内に臨ませるように配置されるバラスト本体４と、器具本体１の開口部１ｃ周縁とバラスト本体４との隙間を密閉する密閉手段としてシール用パッキン７を具備している。
【００３５】
器具本体１は、例えば合成樹脂等を用いて前面が開口した箱状に形成され、開口した前面を覆うように透光性を有するレンズ５が装着されている。この器具本体１の後面部には前方へ凹む略円形状の凹部１ａが形成されており、凹部１ａの底部１ｂの中央部には、ＨＩＤランプ２を器具本体１内に挿入するための略円形状の開口部１ｃが形成されている。器具本体１の後面部の凹部１ａ上方には、後方に向けて円筒状のバラスト本体固定用ボス１ｄが一体に突設され、このボス１ｄには、バラスト本体４を器具本体１に固定するための固定ねじＳに対応したねじ孔（図示せず）が形成されている。また、器具本体１の後面部のボス１ｄ上方には、器具本体１の内外を連通するねじ孔（図示せず）を備えたエーミング用ボルト支持部１ｅが形成されており、このエーミング用ボルト支持部１ｅのねじ孔にエーミング用ボルトＢを螺入することで、エーミング用ボルトＢの先端側を器具本体１内に挿入できるようになっている。一方、器具本体１内の後面下部には、前方に向けて略円筒状の反射板支持用ボス１ｆが一体に突設され、この反射板支持用ボス１ｆには、反射板３を回動自在に支持する略球状の軸部６ａを先部に備えた棒状の支持部材６が挿入される孔部（図示せず）が形成されている。
【００３６】
反射板３は、後端側にＨＩＤランプ２を内部に臨ませる開口３ａを有するとともに、前端側にＨＩＤランプ２からの光を出射する出射口３ｂを有して、後方から前方にいくにつれて拡径となる椀状に形成され、内側面にＨＩＤランプ２からの光を反射して出射口３ｂから外方へ出射させる反射面３ｃを備えている。また、反射板３の外側面の下端側には支持部材６の軸部６ａが回動自在に連結される軸受け部３ｄが一体に突設され、上端側にはエーミング用ボルトＢの先部が螺着される孔部（図示せず）を備えたリブ３ｅが一体に突設されている。ここで、反射板３の開口３ａは、後述するようにエーミング用ボルトＢにより反射板３を回動させた際に、ＨＩＤランプ２と干渉しない程度の大きさに形成している。
【００３７】
バラスト本体４は、例えば樹脂成形品であり、略直方体状の筐体４ａと、筐体４ａの前壁部に形成されＨＩＤランプ２の口金部２３が装着されるソケット部４ｂと、筐体４ａの下壁部に形成され車載のバッテリ（図示せず）に一端が接続されたハーネス（図示せず）が装着される電源入力部４ｃと、筐体４ａの上壁部に突設され固定ねじＳが挿通される挿通孔（図示せず）を備えたリブ４ｄとを一体に備えている。
【００３８】
ここで、筐体４ａは、少なくとも前壁部が器具本体１の凹部１ａを閉塞できる程度の大きさの平坦面を有するように形成されている。また、電源入力部４ｃは、器具本体１外に配置されるため、ハーネスとの接続部位からバラスト本体４内に水が侵入しないようにするために、電源入力部４ｃとハーネスとを接続するコネクタとしては、防水型のものを用いている。
【００３９】
一方、ソケット部４ｂは、器具本体１の開口部１ｃを挿通できる程度の大きさの円筒状に形成され、その内部に口金部２３の内側電極２４及び外側電極２５にそれぞれ電気的に接続される端子（図示せず）が設けられている。このソケット部４ｂの内側面には、ＨＩＤランプ２固定用の溝部（図示せず）が形成され、この溝部は、ＨＩＤランプ２のソケット固定用ピン２３ｄ，２３ｄにそれぞれ対応して、前端側が開放され前後方向に伸びるガイド溝（図示せず）と、ガイド溝の後端部から前後方向に直交する方向に内側面に沿って延設された止め溝（図示せず）とから略Ｌ字状に形成された、いわゆるバヨネット構造である。
【００４０】
そして、ソケット部４ｂへのＨＩＤランプ２の口金部２３の装着は次のようにして行われる。まず、溝部のガイド溝にピン２３ｄ，２３ｄを沿わせた状態でＨＩＤランプ２の口金部２３をソケット部４ｂ内に挿入し、この後にピン２３ｄ，２３ｄがガイド溝の後端部にそれぞれ突き当たった際に、前後方向を回転軸としてＨＩＤランプ２を回転させてピン２３ｄ，２３ｄを止め溝側へと移動させるのである。これにより、ＨＩＤランプ２がソケット部４ｂに装着され、ピン２３ｄ，２３ｄが止め溝に引っ掛かることによってＨＩＤランプ２がソケット部４ｂに抜け止めされるのである。
【００４１】
以上により構成されたバラスト本体４には、バッテリ等の外部電源から供給される電圧をＨＩＤランプ２の動作に適した高周波交流電圧に変換するとともにＨＩＤランプを安定に点灯させる機能を有するインバータや、ＨＩＤランプ２を瞬時に始動・再始動させるイグナイタ、ノイズ抑制機能を有するフィルタ回路等を備えたバラスト（放電灯点灯回路）が、ソケット部４ｂ及び電源入力部４ｃの各端子とそれぞれ電気的に接続された状態で収納され、このようなバラストによれば、バッテリからの電力供給によってＨＩＤランプ２を点灯することができるようになっている。
【００４２】
シール用パッキン７は、例えばＯリング等の環状のゴム成形品が用いられ、器具本体１の開口部１ｃ周縁とバラスト本体４との隙間を密閉して、器具本体１の防水性を確保するためのものである。尚、このようなパッキン７はゴム成形品に限られるものではなく、弾性樹脂材等を開口部１ｃ周縁やバラスト本体４等に塗布することによっても同様の効果を得ることができる。
【００４３】
上記部材により本実施形態の照明器具は構成されており、各部材は次のようにして取り付けられている。反射板３は、器具本体１の反射板支持用ボス１ｆに取り付けられた支持部材６の軸部６ａを軸受け部３ｄに連結するとともに、器具本体１のエーミング用ボルト支持部１ｅのねじ孔（図示せず）を挿通させたエーミング用ボルトＢの先端部をリブ３ｅの孔部（図示せず）に螺着して、出射口３ｂを前方に向けた状態で器具本体１に収納されている。器具本体１に収納された反射板３は、エーミング用ボルトＢによってＨＩＤランプ２からの光の反射方向（つまりは光軸）を調整することができるようになっている。つまり、エーミング用ボルトＢの前後方向の移動に応じて、上端側のリブ３ｅが前後に移動するため、反射板３は、下端側の軸部６ａを回転中心として回動し、これにより光の出射方向（つまりは光軸）を上下方向に調整することができるのである。このようにして光軸を調整することにより、組み立てによるバラツキや照明器具の設置状態のずれ等を補正して、反射板３とレンズ５とによって所定の配光（どこをどれだけの明るさで照らすか）を得ることができる。尚、このようなエーミング用ボルトＢによる光軸調整機構は、上下方向のものに限られるものではなく、器具本体１の上下方向及び左右方向等の複数箇所（少なくとも２箇所）に設ければ、反射板３の光軸を上下左右、様々な方向に調整することが可能になる。
【００４４】
このようにして反射板３が収納された器具本体１には、レンズ５が、器具本体１の前面開口を覆うようにして装着されるが、このとき、レンズ５と器具本体１の前面開口の縁部との隙間をホットメルト接着剤等の接着剤やゴムパッキン等を用いて密閉して、器具本体１の防水性を確保している。そして、器具本体１には、ＨＩＤランプ２がソケット部４ｂに装着されるとともに、シール用パッキン７がソケット部４ｂに被嵌されたバラスト本体４が、ＨＩＤランプ２及びソケット部４ｂを器具本体１の開口部１ｃから器具本体１内に挿入して、ＨＩＤランプ２を反射板３の開口３ａから反射板３内に臨ませるとともにシール用パッキン７を器具本体１の凹部１ａに嵌入した状態で、リブ４ｄの挿通孔を挿通させた固定ねじＳを器具本体１のボス１ｄのねじ孔に螺入することで固定される。このとき、シール用パッキン７が少なくともソケット部４ｂの外側面と器具本体１の凹部１ａの内側面とにそれぞれ全周に亘って弾接することによって、バラスト本体４と器具本体１の開口部１ｃ周縁との隙間が密閉され、これにより器具本体１の防水性が確保されるのである。また、バラスト本体４は、ソケット部４ｂ及び電源入力部４ｃの端子が露出する部位を除いて防水処理が施されており、上記のように器具本体１に固定されるとともに電源入力部４ｃにハーネスが接続されることによって、ソケット部４ｂ及び電源入力部４ｃにおいても防水性が確保され、浸水によるバラストのショート等が防止されている。
【００４５】
以上により構成された本実施形態の照明器具によれば、ソケット部４ｂ及び電源入力部４ｃを一体に備えたバラスト本体４を、器具本体１の開口部１ｃからソケット部４ｂを内部に臨ませるようにして器具本体１の外部に配置しているので、例えば図８，９に示す従来例の照明器具１００，１１１のメンテナンス用カバー１０６のような部材が必要なくなり、しかも器具本体１の大きさを少なくともＨＩＤランプ２及び反射板３を収納できる大きさにまで縮小することができ、これにより照明器具の小型化を図ることができる。また、器具本体１の開口部１ｃ周縁とバラスト本体４との隙間を密閉する密閉手段としてシール用パッキン７を備えているので、器具本体１の防水性を確保することができる。
【００４６】
このように本実施形態の照明器具は小型化を図ることができるので、例えば図３に示すような車両に用いる場合、照明器具の設置に必要なスペースを縮小して、車両全体の小型化を図ることができる。また、本実施形態の照明器具は、器具本体のバラスト本体を覆う部位を省略しているので、特に、照明器具の奥行き（前後方向の幅寸法）を削減することができ、軽自動車や小型車両等においてエンジンルームの小型化に伴なう照明器具の奥行きの削減に対する要求に対応することができる。これにより、車両の居室空間を拡大して、乗車時の快適性を向上した車両を提供することができるようになるのである。この点は、後述する実施形態２〜５の照明器具についても同様である。
【００４７】
（実施形態２）
本実施形態の照明器具は、図４に示すように、器具本体１０及びバラスト本体４０の構成に特徴があり、その他の構成は上記実施形態１と同様であるので、同様の構成については同一の符号を付して説明を省略する。
【００４８】
器具本体１０は、例えば合成樹脂等を用いて前面が開口した箱状に形成され、開口した前面を覆うように透光性を有するレンズ５が装着されている。この器具本体１の後面部には前方へ凹む略円形状の凹部１ａが形成されており、凹部１ａの底部１ｂの中央部には、ＨＩＤランプ２を器具本体１０内に挿入するための略円形状の開口部１ｃが形成されている。器具本体１０の後面部の凹部１ａ上方及び下方には、それぞれ後方に向けて円筒状のバラスト本体固定用ボス１ｄ，１ｄが一体に突設され、このボス１ｄには、バラスト本体４を器具本体１０に固定するための固定ねじＳに対応したねじ孔（図示せず）が形成されている。また、器具本体１０の後面部のボス１ｄ上方には、器具本体１０の内外を連通するねじ孔（図示せず）を備えたエーミング用ボルト支持部１ｅが形成されており、このエーミング用ボルト支持部１ｅのねじ孔にエーミング用ボルトＢを螺入することで、エーミング用ボルトＢの先端側を器具本体１０内に挿入できるようになっている。一方、器具本体１０内の後面下部には、前方に向けて略円筒状の反射板支持用ボス１ｆが一体に突設され、この反射板支持用ボス１ｆには、反射板３を回動自在に支持する略球状の軸部６ａを先部に備えた棒状の支持部材６が挿入される孔部（図示せず）が形成されている。加えて、器具本体１０の下面部には、上記のハーネスを器具本体１０内に導入するための導入孔（図示せず）が形成され、器具本体１０の導入孔の内側面とハーネスとの隙間は、例えば円筒状のシリコンゴム等のシール部材（図示せず）により密閉され、これによって導入孔からの水の浸入を防いでいる。
【００４９】
バラスト本体４０は、例えば樹脂成形品であり、略直方体状の筐体４ａと、筐体４ａの前壁部に突設され前部が器具本体１０の開口部１ｃから内部に臨む略円柱状のシール用突部４０ａと、シール用突部４０ａの前面部に形成されるソケット部４ｂ及び電源入力部４ｃと、筐体４ａの上壁部及び下壁部にそれぞれ突設されるリブ４ｄ，４ｄとを一体に備え、このバラスト本体４０には、上記実施形態１と同様にバラストが収納されている。
【００５０】
そして、本実施形態の照明器具では、各部材が次のようにして取り付けられている。器具本体１０には、上記実施形態１と同様にして反射板３及びレンズ５が取り付けられている。バラスト本体４０は、ソケット部４ｂにＨＩＤランプ２が装着されるとともに、シール用突部４０ａにシール用パッキン７が被嵌される。器具本体１０には、バラスト本体４０が、ＨＩＤランプ２を反射板３の開口３ａから反射板内に臨ませるようにして、ＨＩＤランプ２、ソケット部４ｂ、及び電源入力部４ｃを開口部１ｃから器具本体１０内に挿入するとともに、器具本体１０の導入孔を通ったハーネスを電源入力部４ｃに装着し、シール用突部４０ａを器具本体１０の凹部１ａに配置した状態で、一対のリブ４ｄ，４ｄの挿通孔を挿通させた固定ねじＳ，Ｓを器具本体１０の一対のボス１ｄ，１ｄのねじ孔にそれぞれ螺入することで固定されるのである。このとき、シール用パッキン７が少なくともバラスト本体４０のシール用突部４０ａの外側面と器具本体１０の凹部１ａの内側面とにそれぞれ全周に亘って弾接することによって、バラスト本体４０と器具本体１０の開口部１ｃ周縁との隙間が密閉され、これにより器具本体１０の防水性が確保されている。
【００５１】
以上により構成された本実施形態の照明器具によれば、ソケット部４ｂ及び電源入力部４ｃを一体に備えたバラスト本体４０を、器具本体１０の開口部１ｃからソケット部４ｂを内部に臨ませるようにして器具本体１０の外部に配置するとともに、器具本体１０の開口部１ｃ周縁とバラスト本体４０との隙間を密閉する密閉手段としてシール用パッキン７を備えているので、上記実施形態１と同様に、器具本体の大きさを少なくともＨＩＤランプ２及び反射板３を収納できる大きさにまで縮小することができ、これにより照明器具の小型化を図ることができ、また器具本体の防水性を確保することができる。
【００５２】
上記の効果は実施形態１と同様であるが、本実施形態の照明器具は、上記の効果に加えて、次の効果を奏することができる。つまり、上記実施形態１の照明器具では、電源入力部４ｃが器具本体１外に配置されているから、電源入力部４ｃとハーネスとの接続部位からバラスト本体４内に水が浸入しないようにするために、電源入力部４ｃとハーネスとを接続するコネクタとして防水型のものを用いていたが、本実施形態では、電源入力部４ｃを防水性が確保された器具本体１０内に配置しているので、電源入力部４ｃとハーネスとの接続部位の防水性を考慮する必要がなくなり、これにより、バラスト本体の防水設計が容易になる。しかも、外部電源の電力供給線として安価な非防水型のものを使用することができるため、製造コストの削減を図ることができる。
【００５３】
（実施形態３）
ところで、上記の実施形態１，２では、反射板３の開口３ａを、エーミング用ボルトＢにより反射板３を回動させた際に、反射板３とＨＩＤランプ２とが干渉しない程度の大きさに形成しているため、このような開口３ａ周縁とＨＩＤランプ２との隙間からＨＩＤランプ２の光が漏れ、光の利用効率が悪くなるという問題があった。
【００５４】
そこで、本実施形態の照明器具は、この問題を解決する手段として、図５に示すように、バラスト本体４１に補助反射板８を備えたことに特徴があり、その他の構成は上記実施形態２と同様であるので、同様の構成については同一の符号を付して説明を省略する。
【００５５】
本実施形態のバラスト本体４１は、例えば樹脂成形品であり、略円柱状の筐体４１ａと、筐体４１ａの前壁部に形成されるソケット部４ｂ及び電源入力部４ｃと、筐体４１ａの外側面に周設された環状のフランジ部４１ｂと、筐体４１ａのフランジ部４１ｂより後方の上部及び下部にそれぞれ突設されたリブ４ｄ，４ｄとを一体に備え、ソケット部４ｂには、補助反射板８が取り付けられている。尚、このバラスト本体４１には、上記実施形態２と同様にバラストが収納されている。
【００５６】
補助反射板８は、円形の皿状に形成され、中央部にＨＩＤランプ２及びソケット部４ｂが挿通される挿通孔８ａを備えるとともに、前面にＨＩＤランプ２からの光を前方へ反射する反射面８ｂを備えている。この補助反射板８の外径寸法は、反射板３の開口３ａ周縁とＨＩＤランプ２との隙間を常に覆うような（反射板３をエーミング用ボルトＢにより回動させても、反射板３の開口３ａ周縁とＨＩＤランプ２との隙間を覆うことができるような）大きさに設定している。
【００５７】
そして、本実施形態の照明器具では、各部材が次のようにして取り付けられている。器具本体１０には、上記実施形態２と同様に反射板３及びレンズ５が取り付けられている。バラスト本体４１は、ソケット部４ｂにＨＩＤランプ２が装着されるとともに、筐体４１ａのフランジ部４１ｂより前方の部位にシール用パッキン７が被嵌され、ＨＩＤランプ２及びソケット部４ｂを挿通孔８ａに挿通させた状態で、補助反射板８がソケット部４ｂに取り付けられる。この後に、ＨＩＤランプ２、補助反射板８、及びソケット部４ｂを開口部１ｃから器具本体１０内へと挿入して、ＨＩＤランプ２を反射板３の開口３ａから反射板内に臨ませ、補助反射板８を反射板３の外側に配置し、シール用パッキン７が被嵌された筐体４１ａの部位をフランジ部４１ｂとともに凹部１ａに配置し、且つ、導入孔を通ったハーネスを電源入力部４ｃに装着した状態で、一対のリブ４ｄ，４ｄの挿通孔を挿通させた固定ねじＳ，Ｓを器具本体１０の一対のボス１ｄ，１ｄのねじ孔にそれぞれ螺入することで、バラスト本体４１を器具本体１０に固定している。このとき、シール用パッキン７が少なくともバラスト本体４１の筐体４１ａの外側面と器具本体１０の凹部１ａの内側面とにそれぞれ全周に亘って弾接することによって、バラスト本体４１と器具本体１０の開口部１ｃ周縁との隙間が密閉され、これにより器具本体１０の防水性が確保されるている。
【００５８】
以上により構成された本実施形態の照明器具によれば、上記実施形態２の効果に加えて、反射板３の開口３ａ周縁とＨＩＤランプ２との隙間を覆うように、補助反射板８を配置しているので、反射板３のＨＩＤランプ２を内部に臨ませる開口３ａから漏れていた光を補助反射板８により反射板３側へ反射して、開口３ａから前方へと向かわせることができる。つまりは、本実施形態の照明器具によれば、上記実施形態１，２では無駄となっていた反射板３の開口３ａから後方へ漏れた光を有効利用することができ、これによりＨＩＤランプ２からの光の利用効率を向上することができるのである。
【００５９】
（実施形態４）
本実施形態の照明器具は、図６に示すように、後端側にＨＩＤランプ２を内部に臨ませる開口３ａを有し、ＨＩＤランプ２からの光を内面に備えた反射面３ｃで反射して前端側の出射口３ｂから外方へ出射する反射板３０を器具本体１１内に回動自在に備え、ＨＩＤランプ２は反射板３０の開口３ａより内部に臨んだ状態で反射板３０に固定され、バラスト本体４２はＨＩＤランプ２の口金部２３にソケット部４ｂが装着されることで反射板３０に保持され、器具本体１１の開口部１１ａ周縁とバラスト本体４２との隙間を密閉する密閉手段は、反射板３０の開口３ａの周辺部から後端側へ一体に突設されバラスト本体４２のソケット部４ｂ及びシール用突部４２ｂを囲繞し反射板３０とともに回動する筒部３１と、筒部３１の内側面とバラスト本体４２との隙間を密閉する第１の密閉体であるシール用パッキン７０と、筒部３１の外側面と器具本体１１の開口部１１ａ周縁との隙間を密閉するとともに筒部３１の回動に応じて伸縮する第２の密閉体である変位吸収体７１とから構成されている。尚、上記実施形態１と同様の構成については、同じ符号を付して説明を省略する。
【００６０】
器具本体１１は、例えば合成樹脂等を用いて前面が開口した箱状に形成され、開口した前面を覆うように透光性を有するレンズ５が装着されている。この器具本体１１の後面部には、ＨＩＤランプ２及びバラスト本体４２の前部を器具本体１１内に挿入するための略円形状の開口部１１ａが形成されるとともに、開口部１１ａを囲繞する略円筒状の周壁部１１ｂが後方へ一体に突設されている。また、器具本体１１の後面部の開口部１１ａ上方には、器具本体１１の内外を連通するねじ孔（図示せず）を備えたエーミング用ボルト支持部１ｅが形成されており、このエーミング用ボルト支持部１ｅのねじ孔にエーミング用ボルトＢを螺入することで、エーミング用ボルトＢの先端側を器具本体１１内に挿入できるようになっている。一方、器具本体１１内の後面下部には、前方に向けて略円筒状の反射板支持用ボス１ｆが一体に突設され、この反射板支持用ボス１ｆには、反射板３を回動自在に支持する略球状の軸部６ａを先部に備えた棒状の支持部材６が挿入される孔部（図示せず）が形成されている。
【００６１】
反射板３０は、後端側にＨＩＤランプ２を内部に臨ませる開口３ａを有するとともに、前端側にＨＩＤランプ２からの光を出射する出射口３ｂを有して、後方から前方にいくにつれて拡径となる椀状に形成され、内側面にＨＩＤランプ２からの光を反射して出射口３ｂから外方へ出射させる反射面３ｃを備えている。この反射板３０の開口３ａは、ＨＩＤランプ２のフランジ部２３ｃを挿通できない程度の大きさに形成されて、ＨＩＤランプ２の発光管２０を開口３ａから内部に臨ませるとともに、反射板３０の開口３ａ周縁にフランジ部２３ｃを当接させるようにして、ＨＩＤランプ２が配置されるようになっている。また、反射板３０には、開口３ａを囲繞する周壁部３２が後方へ一体に突設されており、この周壁部３２の後端部には、ＨＩＤランプ２のフランジ部２３ｃの後面部に弾接して、反射板３０の開口３ａ周縁とにて、ＨＩＤランプ２を狭持固定する固定具３３が設けられている。この固定具３３は、例えば、一端側が周壁部３２の後端下部に左右方向を回転軸として回動自在に取り付けられるとともに、他端側が周壁部３２の後端上部に着脱自在に取り付けられて、他端側を周壁部３２から外した状態で、ＨＩＤランプ２を開口３ａに挿通させ、他端側を周壁部３２に取り付けることで、反射板３０とともにＨＩＤランプ２を狭持固定するものである。さらに、反射板３０の後端側の外側面には、円筒状の筒部３１が一体に突設され、筒部３１は、周壁部３２及びバラスト本体４２のソケット部４ｂを囲繞する小径部３１ａと、バラスト本体４２のシール用突部４２ｂを囲繞する大径部３１ｂとから構成されている。
【００６２】
バラスト本体４２は、例えば樹脂成形品であり、略円柱状の筐体４２ａと、筐体４２ａの前壁部に突設され筒部３１内に収納される略円柱状のシール用突部４２ｂと、シール用突部４２ｂの前面部に形成されるソケット部４ｂと、筐体４ａの下壁部に突設される電源入力部４ｃとを一体に備えており、このバラスト本体４２には、上記実施形態１と同様にバラストが収納されている。
【００６３】
シール用パッキン７０は、例えばＯリング等の環状のゴム成形品が用いられ、筒部３１の大径部３１ｂの内側面とバラスト本体４２のシール用突部４２ｂの外側面との隙間を密閉するためのものである。また、変位吸収体７１は、例えば、径方向に伸縮自在な円環状のゴム成形品等の弾性体であり、筒部３１の外側面と器具本体１１の開口部１１ａ周縁との隙間を密閉するとともに、エーミング用ボルトＢにより反射板３０を回動させた際に、反射板３０とともに回動する筒部３１の変位に応じて伸縮するものである。尚、これらパッキン７０や変位吸収体７１は、上記のものに限られるものではなく、状況に応じて好適なものを用いることができる。
【００６４】
上記部材により本実施形態の照明器具は構成されており、各部材は次のようにして取り付けられている。反射板３０は、器具本体１１の反射板支持用ボス１ｆに取り付けられた支持部材６の軸部６ａを軸受け部３ｄに連結するとともに、器具本体１１のエーミング用ボルト支持部１ｅのねじ孔（図示せず）を挿通させたエーミング用ボルトＢの先端部をリブ３ｅの孔部（図示せず）に螺着し、出射口３ｂを前方に向けるとともに筒部３１を器具本体１１の開口部１１ａに臨ませて、器具本体１１に収納されている。このようにして反射板３０が収納された器具本体１１には、レンズ５が、上記実施形態１と同様にして装着される。また、変位吸収体７１が、外周縁部を器具本体１１の周壁部１１ｂの後端縁部に、内周縁部を筒部３１の大径部３１ｂの後端縁部にそれぞれ嵌合させるとともに、各嵌合部位を接着、圧着、圧接等によって接着することで器具本体１１に取り付けられ、これにより筒部３１の外側面と器具本体１１の開口部１１ａ周縁との隙間を密閉して、器具本体１１の防水性を確保している。
【００６５】
そして、器具本体１１には、ＨＩＤランプ２と、シール用パッキン７０がシール用突部４２ｂに被嵌されたバラスト本体４２とが、次のように配置されている。ＨＩＤランプ２は、発光管２０を開口３ａから反射板３０内に臨ませるとともに、フランジ部２３ｃを開口３ａ縁部に当接させた状態で固定具３３により反射板３０に固定されて器具本体１１内に収納される。バラスト本体４２は、ソケット部４ｂを上記のようにして反射板３０に固定されたＨＩＤランプ２の口金部２３に装着することで反射板３０に保持され、このとき、シール用パッキン７０が、少なくとも筒部３１の大径部３１ｂの内側面と、シール用突部４２ｂの外側面とにそれぞれ全周に亘って弾接することによって、筒部３１とバラスト本体４２との隙間が密閉され、これにより防水性が確保される。
【００６６】
以上により構成された本実施形態の照明器具によれば、ソケット部４ｂ及び電源入力部４ｃを一体に備えたバラスト本体４２を、器具本体１１の開口部１１ａからソケット部４ｂを器具本体１１内に臨ませた状態で、器具本体１１の外部に配置しているので、器具本体１１の大きさを少なくともＨＩＤランプ２及び反射板３０を収納できる大きさにまで縮小することができ、これにより照明器具の小型化を図ることができる。また、筒部３１、シール用パッキン７０、及び変位吸収体７１とからなる密閉手段により器具本体１１の開口部１１ａ周縁とバラスト本体４２との隙間を密閉しているので、器具本体１１の防水性を確保することができる。
【００６７】
しかも、反射板３０にＨＩＤランプ２を固定してＨＩＤランプ２が反射板３０とともに回動するようにしているので、上記実施形態１〜３のように、開口３ａをエーミング用ボルトＢにより反射板を回動させた際に、ＨＩＤランプ２と干渉しない程度の大きさに形成する必要がなくなる。そのため、上記実施形態３のような補助反射板を設けなくても、ＨＩＤランプ２からの光の利用効率を向上することができる。しかも、開口３ａから後方にＨＩＤランプ２からの光が漏れることがないので、ＨＩＤランプ２からの光を最大限利用することができ、そのため上記実施形態３のものよりも光の利用効率が良い。また、ＨＩＤランプ２が反射板３０に固定されていることによってＨＩＤランプ２と反射板３０との位置関係が変化せず、そのため上記実施形態１〜３のように、ＨＩＤランプ２と反射板３との位置関係が相対的に変化するものに比べて、ＨＩＤランプ２からの光の配光設計を容易に行えるようになる。
【００６８】
（実施形態５）
本実施形態の照明器具は、図７に示すように、上記実施形態４の照明器具の構成部材を削減して簡素化したものであり、上記実施形態４と同様の構成については同一の符号を付して説明を省略する。
【００６９】
本実施形態の照明器具は、図７に示すように、ＨＩＤランプ２が固定される反射板３０が回動自在に収納される器具本体１１と、ＨＩＤランプ２の口金部２３にソケット部４ｂが装着されることで反射板３０に保持されるバラスト本体４３と、器具本体１１の開口部１１ａ周縁とバラスト本体４３との隙間を密閉するとともに、バラスト本体４３の回動に応じて伸縮する部材である変位吸収体７１とを具備している。
【００７０】
ここで、反射板３０は、筒部３１を有していないこと以外は上記実施形態４と同様である。また、バラスト本体４３は、例えば樹脂成形品であり、略直方体状の筐体４ａと、筐体４ａの前壁部に形成されるソケット部４ｂと、筐体４ａの下壁部に形成される電源入力部４ｃとを一体に備え、筐体４ａの前壁部には、ソケット部４ｂを前方へ突出させるとともに筐体４ａの前壁部を覆うように略平板状のシール用板部９が固着されている。このバラスト本体４３には、上記実施形態１と同様にバラストが収納されている。
【００７１】
変位吸収体７１は、器具本体１１の開口部１１ａ周縁とバラスト本体４３との隙間を密閉する密閉手段として用いられ、例えば、径方向に伸縮自在な略円環状のゴム成形品等であり、エーミング用ボルトＢにより反射板３０が回動した際に、反射板３０とともに回動するバラスト本体４３の変位（回動）に応じて伸縮するものである。
【００７２】
上記部材により本実施形態の照明器具は構成されており、各部材は次のようにして取り付けられている。反射板３０は、器具本体１１の反射板支持用ボス１ｆに取り付けられた支持部材６の軸部６ａを軸受け部３ｄに連結するとともに、器具本体１１のエーミング用ボルト支持部１ｅのねじ孔（図示せず）を挿通させたエーミング用ボルトＢの先端部をリブ３ｅの孔部（図示せず）に螺着して、出射口３ｂを前方に向けて器具本体１１に収納されている。このようにして反射板３０が収納された器具本体１１には、レンズ５が上記実施形態１と同様にして装着されている。
【００７３】
そして、器具本体１１には、ＨＩＤランプ２と、バラスト本体４３とが、次のように配置されている。ＨＩＤランプ２は、発光管２０を開口３ａから反射板３０内に臨ませるとともに、フランジ部２３ｃを開口３ａ縁部に当接させた状態で固定具３３により反射板３０に固定されている。そして、バラスト本体４３は、ソケット部４ｂをＨＩＤランプ２の口金部２３に装着することで、反射板３０に保持されている。
【００７４】
このようにしてＨＩＤランプ２及びバラスト本体４３が配置された器具本体１１には、変位吸収体７１が、外周縁部を器具本体１１の周壁部１１ｂの後端縁部に、内周縁部をシール用板部９の周縁部にそれぞれ嵌合させるとともに、各嵌合部位を接着、圧着、圧接等によって接着することで器具本体１１に取り付けられ、これにより器具本体１１の開口部１１ａ周縁とバラスト本体４３との隙間を密閉して、器具本体１１の防水性を確保している。
【００７５】
以上により構成された本実施形態の照明器具によれば、上記実施形態４に比べて、筒部３１、シール用パッキン７０を省略し、かわりにシール用板部９を設けただけの簡単な構成で同様の効果を得ることができるため、構成部品及び組立工程を削減して製造コストの低減を図ることができる。
【図面の簡単な説明】
【００７６】
【図１】本発明の実施形態１の照明器具の概略断面図である。
【図２】同上の照明器具に用いられるＨＩＤランプの一部を切り欠いた側面図である。
【図３】同上の照明器具を用いる車両の前部の斜視図である。
【図４】本発明の実施形態２の照明器具の概略断面図である。
【図５】本発明の実施形態３の照明器具の概略断面図である。
【図６】本発明の実施形態４の照明器具の概略断面図である。
【図７】本発明の実施形態５の照明器具の概略断面図である。
【図８】従来の照明器具の概略断面図である。
【図９】従来の他の照明器具の概略断面図である。
【符号の説明】
【００７７】
１    器具本体
１ｃ  開口部
２    ＨＩＤランプ
４    バラスト本体
４ｂ  ソケット部
７    シール用パッキン
２３    口金部
【図１】
2006210008.tif 000003
【図２】
2006210008.tif 000004
【図３】
2006210008.tif 000005
【図４】
2006210008.tif 000006
【図５】
2006210008.tif 000007
【図６】
2006210008.tif 000008
【図７】
2006210008.tif 000009
【図８】
2006210008.tif 000010
【図９】
2006210008.tif 000011